(57)【要約】丸編み機により、ナイロンやスパンデックスなどの繊維材料で形成された糸を編むことによって構成された、継ぎ目がない円筒形状を呈する、造形された継ぎ目なしの妊婦用腰腹部支持ベルト（１００）であって、支持ベルトにおける異なる部位に配置され、特別に設計された編み構造をそれぞれ有する複数の部分を備えることを特徴とする。更に、本発明は、前記継ぎ目なしの造形腰腹部支持ベルト（１００）がボトムスの腰部バンドに取り付けられた衣服を提供する。本発明の腰腹部支持ベルトは、造形された継ぎ目がない円筒形状を有し、外側の表面または内側の表面に凹凸がないので、快適性が高い。一方、腰腹部支持ベルトは、異なる部分が異なる編み構造に形成されるので、成長する腹部の形状に合わせるように、妊婦の腰と背中を支持し、骨盤の痛みを軽減することができる。【選択図】図２（２ｃ）
2021513009.tif 000002
【特許請求の範囲】
【請求項１】
繊維材料製の弾性糸を編んで形成され、継ぎ目がない円筒形状を呈する腰腹部支持ベルト（１００）であって、該支持ベルトは、上縁部（１０１，２０１）と、フロントピース（１０２，２０２）と、リアピース（１０７,２０７）と、下縁部（１０８，２０８）との少なくとも４つの部分からなる造形構造に構成され、前記上縁部（１０１，２０１）は、前記腰腹部支持ベルト（１００）の頂部に位置し、前記下縁部（１０８，２０８）は、前記腰腹部支持ベルトの最下端に位置し、前記フロントピース（１０２，２０２）は、前記腰腹部支持ベルトの前部に配置され、前記フロントピース（１０２，２０２）の上側が前記上縁部（１０１，２０１）と接合し、前記リアピース（１０７,２０７）は、前記腰腹部支持ベルトの後部に位置し、前記フロントピースと前記リアピースとの編み構造は互いに異なり、前記上縁部または前記下縁部の編み構造とも異なっていることを特徴とする腰腹部支持ベルト。
【請求項２】
支持部（１０５，２０５）と、三角形状部（１０６，２０６）とを更に備え、前記支持部（１０５，２０５）は、前記フロントピースと前記下縁部の間に位置し、接続部と狭幅部の下部とを囲み、前記三角形状部（１０６，２０６）は、人間工学に準拠した三角形の区域であり、前記腰腹部支持ベルトの両側の腰部分であって、前記支持部と前記リアピースの間に位置し、その最も広い底部が側腰部に位置し、その鋭角が後方の腰部中央に向かって先細になることを特徴とする請求項１に記載の腰腹部支持ベルト（１００）。
【請求項３】
細長い接続部（１０３）と、狭幅部（１０４）とを更に備え、前記フロントピース（１０２）の両側と下側に前記接続部（１０３）が接合し、前記接続部（１０３）は、前記フロントピース（１０２）の両側と下側を取り囲むように位置し、前記狭幅部（１０４）は、前記接続部の後方に接合した２つの帯状領域からなり、前記フロントピース（１０２）と前記リアピース（１０３）との間で前記接続部（１０３）の後方に接合し、前記三角形状部（１０６）の前方に接合することを特徴とする請求項２に記載の腰腹部支持ベルト（１００）。
【請求項４】
前記上縁部（１０１，２０１）及び前記下縁部（１０８，２０８）は、それぞれリブ（整列繰返し）編み構造によって形成され、前記フロントピース（１０２，２０２）は、メッシュデザインミスステッチ組合せ交互繰返し編み構造、またはスモールホールデザイン編み構造によって形成され、前記リアピース（１０７，２０７）は、ミスステッチ整列繰返し編み構造によって形成されることを特徴とする請求項１に記載の腰腹部支持ベルト（１００）。
【請求項５】
前記上縁部（１０１，２０１）及び前記下縁部（１０８，２０８）は、それぞれ前記リブ（整列繰返し）編み構造であり、前記フロントピース（１０２，２０２）は、前記メッシュデザインミスステッチ組合せ交互繰返し編み構造、または前記スモールホールデザイン編み構造であり、前記支持部（１０５，２０５）は、ミスステッチ交互繰返し編み構造であり、前記三角形状部（１０６，２０６）、及び前記リアピース（１０７，２０７）は、前記ミスステッチ整列繰返し編み構造であることを特徴とする請求項２に記載の腰腹部支持ベルト（１００）。
【請求項６】
前記上縁部（１０１，２０１）及び前記下縁部（１０８，２０８）は、それぞれ前記リブ（整列繰返し）編み構造であり、前記フロントピース（１０２，２０２）は、前記メッシュデザインミスステッチ組合せ交互繰返し編み構造、または前記スモールホールデザイン編み構造であり、前記接続部（１０３）、前記狭幅部（１０４）、及び前記支持部（１０５，２０５）は、それぞれ前記ミスステッチ交互繰返し編み構造であり、前記三角形状部（１０６，２０６）、及び前記リアピース（１０７，２０７）は、前記ミスステッチ整列繰返し編み構造であることを特徴とする請求項３に記載の腰腹部支持ベルト（１００）。
【請求項７】
前記上縁部（１０１，２０１）は、５×１前記リブ（整列繰返し）編み構造であり、前記フロントピース（１０２，２０２）は、前記メッシュデザインミスステッチ組合せ交互繰返し編み構造であり、前記支持部（１０５，２０５）は、３×１（計３コース）前記ミスステッチ交互繰返し編み構造であり、前記三角形状部（１０６，２０６）は、２×２（計９コース）前記ミスステッチ整列繰返し編み構造であり、前記リアピース（１０７，２０７）は、１×１（計１０コース）前記ミスステッチ整列繰返し編み構造であり、前記下縁部（１０８，２０８）は、３×１前記リブ（整列繰返し）編み構造であることを特徴とする請求項５に記載の腰腹部支持ベルト（１００）。
【請求項８】
前記上縁部（１０１，２０１）は、５×１前記リブ（整列繰返し）編み構造であり、前記フロントピース（１０２）は、前記メッシュデザインミスステッチ組合せ交互繰返し編み構造であり、前記接続部（１０３）は、３×１前記ミスステッチ交互繰返し編み構造であり、前記狭幅部（１０４）は、３×１（計２コース）前記ミスステッチ交互繰返し編み構造であり、前記支持部（１０５）は、３×１（計３コース）前記ミスステッチ交互繰返し編み構造であり、前記三角形状部（１０６）は、２×２（計９コース）前記ミスステッチ整列繰返し編み構造であり、前記リアピース（１０７）は、１×１（計１０コース）前記ミスステッチ整列繰返し編み構造であり、前記下縁部（１０８）は、３×１前記リブ（整列繰返し）編み構造であることを特徴とする請求項６に記載の腰腹部支持ベルト（１００）。
【請求項９】
前記繊維材料において、ナイロンが９０〜９６％を占め、スパンデックスが４〜１０％を占めることを特徴とする請求項１〜８のいずれか１項に記載の腰腹部支持ベルト（１００）。
【請求項１０】
前記繊維材料において、ナイロンが９２％、スパンデックスが８％であることを特徴とする請求項１〜８のいずれか１項に記載の腰腹部支持ベルト（１００）。
【請求項１１】
前記繊維材料は、ビスコースレーヨン、またはソフトナイロンなどのポリマー繊維、天然繊維、または再生繊維を更に含むことを特徴とする請求項１〜８のいずれか１項に記載の腰腹部支持ベルト（１００）。
【請求項１２】
前記繊維材料は、特殊構造または特殊機能を有するポリマー繊維を更に含むことを特徴とする請求項１〜８のいずれか１項に記載の腰腹部支持ベルト（１００）。
【請求項１３】
前記腰腹部支持ベルト（１００）の前記下縁部（１０８，２０８）が、前記腰腹部支持ベルト（１００）と、ボトムスとが一体となるように、該ボトムスの腰部バンドに取り付けられることを特徴とする請求項１〜１２のいずれか１項に記載の腰腹部支持ベルトを備える衣服。
【請求項１４】
前記衣服における取り付け方法として、縫製、紡績、ベルクロ（登録商標）、またはスライドファスナーを含むことを特徴とする請求項１３に記載の衣服。
【請求項１５】
前記ボトムスは、ズボン、ショーツ、またはスカートであることを特徴とする請求項１３、または１４に記載の衣服。
【請求項１６】
前記ズボンは、ジーンズであることを特徴とする請求項１５に記載の衣服。
【発明の詳細な説明】
【技術分野】
【０００１】
本開示は、妊婦用腰腹部支持ベルト（一般に腹帯と呼ばれる）に関するものであり、具体的には、継ぎ目がない円筒形状の編み腰腹部支持ベルトに関する。更に、本開示は、前記妊婦用腰腹部支持ベルトが取り付けられる衣服に関する。
【背景技術】
【０００２】
よく知られているように、女性は妊娠中に一連の身体的不快感に直面している。例えば、妊婦のお腹は胎児の発達とともに成長する。妊娠が進むと、背中、腰、骨盤の痛みが増え、妊婦の運動能力に影響を与え、日常生活に不便をもたらす。伝統的に、妊婦の服は、着用者に快適さを与えるが、腹部を特別に支持することなく、サイズが緩いドレスまたは編みパンツである。成長する腹部のサイズに適応し、着用者の背中を支えて骨盤の痛みを軽減するために利用可能な妊婦服及び妊婦用ベルトがある。着用時に、パンツ、ショーツまたはスカートの腰部を開いたまま、これらのボトムス衣料の腰部バンドにボタンで直接または間接的に接続される伸縮性ベルトが装備されている妊婦服もある。このタイプの妊婦の衣類の問題は、２つの部分に分かれていて、着用時に柔軟性がないことである。腰腹部支持ベルトを備えたそのような妊婦用衣類は、通常、身体に対して密着しており、継ぎ目を有し、それらの腹部領域は通気性がない。腹部サイズに合わせて調節可能な腰腹部支持ベルトを備えた特別な妊婦用衣服もある。しかし、これらの腰腹部支持ベルトは、通常、弾性材料を使用して腹部の形状に沿って調節するのみであり、腹部の形状に合うように設計されてはいない。したがって、この種の妊婦服は、腹部を適切に支持することができず、骨盤痛を軽減することもできない。
【０００３】
背中や骨盤の痛みを軽減するように設計されている妊婦用ベルトや腹部サポートベルトがある。このようなベルトの大部分は、伸縮性のある素材を用いて、ベルクロ（登録商標）またはフックアンドアイクロージャーを備えたものである。ベルクロ（登録商標）による固定は、しばらく着用した後に緩んでしまうのが普通である。これらの妊婦用ベルトは、筋肉が外部からのサポートに過度に依存するようになり、すでに提示された問題が解決できないので、一日中着用すべきではない。更に、そのような妊婦用ベルトは、通常、服の下に着用され、かさばるように見え、着用者に、特に夏期に不快感を与える。
【０００４】
ジーンズはほとんどの女性にとって、服装の定番である。しかし、そのジーンズは、弾性の弱い織布デニム生地で製造されており、妊婦にとって十分快適ではなく、したがって、通常は妊婦用服とはみなされない。妊娠中の女性は、妊娠期間中にジーンズを着用し続けることができなくなる。
【発明の概要】
【発明が解決しようとする課題】
【０００５】
先行技術に存在する上記の問題を解決するために、本開示は、特別に設計された編み構造を有し、ボトムスの腰部バンドに取り付けられることで、妊娠期間中の女性に異なる機能とサポートを与えることができる腰腹部支持ベルトを提供する。
【課題を解決するための手段】
【０００６】
本開示の一形態によれば、繊維材料で形成された弾性糸を編むことによって構成された、継ぎ目がない円筒形状を呈する腰腹部支持ベルトを提供する。そして、前記腰腹部支持ベルトは、上縁部と、フロントピースと、リアピースと、下縁部との少なくとも４つの部分からなる造形構造に構成される。前記上縁部は、前記腰腹部支持ベルトの頂部に位置し、前記下縁部は、前記腰腹部支持ベルトの最下端に位置し、前記フロントピースは、前記腰腹部支持ベルトの前部に位置し、その上側が前記上縁部に接合しており、前記リアピースは、前記腰腹部支持ベルトの後部に位置する。前記フロントピースと前記リアピースの編み構造は互いに異なっており、前記上縁部または前記下縁部の編み構造とも異なっていることを特徴とする。
【０００７】
好ましくは、前記腰腹部支持ベルトにおいて、前記上縁部及び前記下縁部はそれぞれリブ（整列繰返し）編み構造であり、前記フロントピースは、メッシュデザインミスステッチ組合せ交互繰返し編み構造またはスモールホールデザイン編み構造によって形成される。前記リアピースはミスステッチ整列繰返し編み構造によって形成される。
【０００８】
好ましくは、前記腰腹部支持ベルトは、支持部と、三角形状部とを更に備える。前記支持部は、前記フロントピースと前記下縁部との間に位置し、接続部と狭幅部の下部を囲む。前記三角形状部は、人間工学に準拠した三角形の領域であり、前記腰腹部支持ベルトの両側の腰部分であって前記支持部と前記リアピースとの間に位置し、その最も広い底部が側腰部に位置し、その鋭角が後方の腰部中央に向かって先細になっている。
【０００９】
好ましくは、前記支持部は、ミスステッチ交互繰返し編み構造に形成され、前記三角形状部は、前記ミスステッチ整列繰返し編み構造に形成される。
【００１０】
好ましくは、前記腰腹部支持ベルトは、細長い接続部と、狭幅部とを更に備える。前記フロントピースの両側と下側に前記接続部が接合し、前記接続部は、前記フロントピースの両側と下側を取り囲むように位置する。前記狭幅部は、前記接続部の後方に接合した２つの帯状領域からなり、前記フロントピースと前記リアピースの間で前記接続部の後方に接合し、前記三角形状部の前方に接合する。
【００１１】
好ましくは、前記接続部及び前記狭幅部はそれぞれ、前記ミスステッチ交互繰返し編み構造である。
【００１２】
好ましくは、別の態様では、前記腰腹部支持ベルトにおいて、前記上縁部は、５×１前記リブ（整列繰返し）編み構造である。前記フロントピースは、前記メッシュデザインミスステッチ組合せ交互繰返し編み構造である。前記接続部は、３×１前記ミスステッチ交互繰返し編み構造である。前記狭幅部は、３×１（計２コース）前記ミスステッチ交互繰返し編み構造である。前記支持部は、３×１（計３コース）前記ミスステッチ交互繰返し編み構造である。前記三角形状部は、２×２（計９コース）前記ミスステッチ整列繰返し編み構造である。前記リアピースは、１×１（計１０コース）前記ミスステッチ整列繰返し編み構造である。前記下縁部は３×１前記リブ（整列繰返し）編み構造である。
【００１３】
好ましくは、前記腰腹部支持ベルトに使用される繊維材料は９０〜９６％のナイロンと４〜１０％のスパンデックスである。より好ましくは、前記腰腹部支持ベルトに使用される繊維材料は、ナイロン９２％、スパンデックス８％である。
【００１４】
好ましくは、前記腰腹部支持ベルト用の繊維材料は、ビスコースレーヨンまたはナイロンなどのポリマー繊維、天然繊維または再生繊維を更に含むことができる。
【００１５】
好ましくは、前記腰腹部支持ベルト用の繊維材料は、特殊構造または特殊機能のポリマー繊維を更に含むことができる。
【００１６】
更に、本発明は、上記態様のいずれかによる前記腰腹部支持ベルトを備える衣服であって、前記腰腹部支持ベルトの前記下縁部が、ボトムスの腰部バンドに取り付けられ、前記腰腹部支持ベルトと前記ボトムスを一体化する衣服を提供する。
【００１７】
好ましくは、前記衣服における取り付け方法は、縫製、紡績、熱融着、ボタン、スナップファスナー、ベルクロ（登録商標）またはスライドファスナーを含む。
【００１８】
好ましくは、前記衣服における前記ボトムスは、ズボン、ショーツまたはスカートである。
【００１９】
好ましくは、前記衣服における前記ズボンは、ジーンズである。
【発明の効果】
【００２０】
本開示による妊婦用腰腹部支持ベルトは、継ぎ目がない円筒形状の造形構造であり、表面及び裏面に凹凸がなく、非常に快適である。また、腰腹部支持ベルトは、膨らんだお腹の形状に合わせて、妊婦の腰と背中をサポートするように異なる部分を異なる編み構造に形成させることにより、骨盤痛を軽減できる。更に、本開示による腰腹部支持ベルトは、様々なボトムスに取り付けられて、妊娠中の女性がファッション性を保ちながら快適になるようにするため、従来の妊婦用ベルトによる問題点を実質的に改善する。
【図面の簡単な説明】
【００２１】
【図１】（１ａ）及び（１ｂ）はそれぞれ、本発明に係る造形された継ぎ目がない円筒形状の編み腰腹部支持ベルトの正面図及び背面図である。
【図２】（２ａ）、（２ｂ）及び（２ｃ）はそれぞれ、本発明による第１の実施形態に係る腰腹部支持ベルトの正面図、背面図、及び側面図である。
【図３】本発明による第１の実施形態に係る腰腹部支持ベルトの中央前部から中央後部までの縦断面図である。
【図４】本発明による第２の実施形態に係る腰腹部支持ベルトの各編み構造の正面図である。
【図５ａ】ボトムスに取り付けられた本発明の腰腹部支持ベルトの実施形態を示す斜視図である。
【図５ｂ】ボトムスに取り付けられた本発明の腰腹部支持ベルトの実施形態を示す正面図である。
【図５ｃ】ボトムスに取り付けられた本発明の腰腹部支持ベルトの実施形態を示す背面図である。
【発明を実施するための形態】
【００２２】
本発明の具体的な実施形態について詳細に説明する。同一の符号は同一の部分を示す。
【００２３】
図１ａ及び図１ｂは、本発明に係る腰腹部支持ベルト１００が装着された衣服を着用した妊婦の正面図及び背面図を示している。本発明に係る造形された継ぎ目がない円筒形状の編み腰腹部支持ベルト１００は、妊婦の腰部及び腹部を包んでいる。
【００２４】
以下、第１の実施形態について説明する。
【００２５】
本発明による第１の実施形態に係る造形された継ぎ目がない円筒形状の編み腰腹部支持ベルトの構造、製造方法及び特性について、図２及び図３を組み合わせて詳細に説明する。図２ａ、２ｂ、及び２ｃは、本発明による第１の実施形態に係る造形された継ぎ目がない円筒形状の編み腰腹部支持ベルトの正面図、背面図、及び側面図である。図３は、本発明による第１の実施形態に係る造形された継ぎ目がない円筒形状の編み腰腹部支持ベルトの中央前部から中央後部までの縦断面図であり、異なる部分における編み構造の詳細を示す。ここで、図中左側が後方向であり、右側が前方向である。
【００２６】
腰腹部支持ベルト１００は、丸編み機によってナイロンとスパンデックスの繊維材料からなる弾性糸を編んで形成される。ナイロンは９０〜９６％、好ましくは９２％であり、スパンデックスは４〜１０％、好ましくは８％である。円形の編みデザインにより、継ぎ目のない腰腹部支持ベルトが形成される。製品全体に継ぎ目がないため、妊娠中の女性に不快感を与えないようにすることができる。
【００２７】
本発明による造形された継ぎ目がない円筒形状の編み腰腹部支持ベルトは、異なる部分に異なる編み構造を使用するため、胎児が腹部を動かして腹部を変形させたとしても、弾性構造体により腹部の変形に合わせるように腰腹部支持ベルトの形状を調節可能であって、着用者が不快感を覚えないようにすることができる。しかも、妊婦の背中を支持し、腰部の痛みを軽減できる。
【００２８】
腰腹部支持ベルト１００は、上縁部１０１と、フロントピース１０２と、接続部１０３と、狭幅部１０４と、支持部１０５と、三角形状部１０６と、リアピース１０７と、下縁部１０８とを備えている。これらの部分はそれぞれ異なる編みステッチを有する。支持ベルトは、一体に編まれているので、隣り合って接続されている各部分の境界は明確でなく、継ぎ目が形成されていない。各部分の編み構造及び対応する特性及び機能について、以下で詳細に説明する。
【００２９】
腰腹部支持ベルトの上縁部１０１は、５×１（ミス＋ニットステッチ）のコース１と、すべてニットステッチであるコース２とにより、腰腹部支持ベルトの上部が弾性バンドの構造に形成される５×１リブ（整列繰返し）編み構造である。リブ（整列繰返し）編み構造は、＃２０３０ナイロン被覆糸と２１０Ｄ裸スパンデックス糸のストレッチ糸で構成され、良好な弾性回復性及び伸張性が確保でき、快適性、耐久性、フィット感及び強固性が保証できる。この弾性バンド構造は、造形された継ぎ目がない円筒形状の編み腰腹部支持ベルトが腹部上に快適にフィットし、ベルトが滑り落ちるのを防止するのに役立つ。
【００３０】
腰腹部支持ベルトのフロントピース１０２は、支持ベルトの前面に位置し、妊婦のお腹を覆い、１×１（ミス＋ニットステッチ）のコース１と、コース１と交互になる１×３（ミス＋ニットステッチ）のコース２と、コース１と交互になる１×１（ミス＋ニットステッチ）のコース３と、すべてニットステッチであるコース４とによる、メッシュデザインミスステッチ組合せ交互繰返し編み構造であり、腰腹部支持ベルトの前部を形成している。フロントピースの上側は、上縁部１０１に接合し、腹部を快適に覆う。この複数のステッチの組み合わせは、妊婦への総合的な保護を提供する。メッシュステッチ構造が通気性を提供し、交互（ミス＋ニットステッチ）構造が腹部を包んでいるため、夏にはより良い通気性を提供する。このミスステッチの組合せは、他のスモールホールデザイン編み構造に置き換えることもできる。
【００３１】
腰腹部支持ベルトの接続部１０３は、細長い形状であり、頂部を除いて、フロントピース１０２を取り囲む周縁を形成する。つまり、接続部１０３は、フロントピース１０２の両側と下側のみに囲いを形成している。接続部１０３は、３×１（ミス＋ニットステッチ）のコース１と、すべてニットステッチであるコース２とによる、３×１ミスステッチ交互繰返し編み構造である。これは、複雑なステッチ構造の第１のレベルとして、ステッチの張力は小さいが、フロントピース１０２の張力よりも大きいので、圧力を背面に伝達することができる。
【００３２】
腰腹部支持ベルトの狭幅部１０４は、支持ベルトの両側の接続部１０３の後方に接合し、三角形状部１０６の前方に接合している。狭幅部は、３×１（ミス＋ニットステッチ）のコース１及び２と、すべてニットステッチであるコース３とによる、３×１（計２コース）ミスステッチ交互繰返し編み構造である。この構造は、３×１ミスステッチ（交互繰返し）編み構造にもう一つ（ミス＋ニットステッチ）コースを追加する。これは、複雑なステッチ構造の第２のレベルとして、腰部及び背部へ、より高い圧力を伝達する。
【００３３】
腰腹部支持ベルトの支持部１０５は、３×１（ミス＋ニットステッチ）のコース１〜３と、すべてニットステッチであるコース４とによる、３×１（計３コース）ミスステッチ交互繰返し編み構造を使用している。この構造は、３×１（計２コース）ミスステッチ交互繰返し編み構造にもう１つ（ミス＋ニットステッチ）コースを追加し、複雑なステッチ構造の第３のレベルになる。妊娠中の胎児の成長は、腹部の大きさを変化させるので、支持部１０５は、その変化に応じて適切な伸張性を有し、上方向への一定の支持力を提供する。
【００３４】
腰腹部支持ベルトの三角形状部１０６は人間工学に準拠した三角形の区域であり、腰腹部支持ベルトの両側の腰部分に位置し、その最も広い底部は側腰部に位置し、その鋭角は後方の腰部中央に向かって先細になる。三角形状部１０６は、２×２（ミス＋ニットステッチ）のコース１〜９と、すべてニットステッチであるコース１０及び１１とによる、２×２（計９コース）ミスステッチ整列繰返し編み構造を使用している。整列繰返しの２×２（計９コース）２針（ミス＋ニットステッチ）は、複雑な編み構造について最高レベルの緊密さをもたらす。人間工学に準拠した三角形状部１０６の三角形領域は、身体の前側からの圧力を身体の後部の中央に向かって伝達する。腰部分に位置されている人間工学に準拠した２つの三角区域は、腰部を動かすために適切に伸縮するとともに、腰部をしっかりと把持することができる。
【００３５】
腰腹部支持ベルトのリアピース１０７は、腰腹部支持ベルトの後側に位置し、腹部を取り囲むように腰部分の後部に接合する最も広い部分である。リアピース１０７は、１×１（ミス＋ニットステッチ）のコース１〜９と、すべてニットステッチであるコース１０とによる、１×１（計１０コース）ミスステッチ整列繰返し編み構造を採用している。ここでの編み目構造は、緊密さが最も高いため、強力な支持力を提供することができ、腰部及び背中の支持及び保護のために重要である。
【００３６】
腰腹部支持ベルトの下縁部１０８は、腰腹部支持ベルトの最下端に位置し、上縁部１０１と同様に、３×１（ミス＋ニットステッチ）のコース１と、すべてニットステッチであるコース２とによる、３×１リブ（整列繰返し）編み構造を採用している。当該下縁部は、腰腹部支持ベルトをジーンズの腰部バンドに連結するために使用され、一方、ジーンズの腰部バンドを腰部にフィットさせることで、滑り止めを可能にする。
【００３７】
図３から明らかなように、上縁部１０１は腰腹部支持ベルトの頂部であり、円筒形状を呈する。着用時に、造形された継ぎ目がない円筒形状の編み腰腹部支持ベルトを正しい位置に保持し、スリップを防止する機能を果たす。下縁部２０８も円筒形状であり、ボトムスの頂部に接続させることができる。フロントピース１０２は、腰腹部支持ベルトの前部を形成し、腹部の動きに柔軟に対応し、腹部の通気性を提供する。接続部１０３からリアピース２０７までの間が一連の異なる編み構造により、一体に形成されて、背中に圧力を伝え、腰部及び背部を支持して妊婦の骨盤痛を軽減できる。
【００３８】
第２の実施形態を以下に説明する。
【００３９】
図４は、本発明の第２の実施形態による、造形された継ぎ目がない円筒形状の編み腰腹部支持ベルトの各部分における異なる編み構造の正面図である。第２の実施形態は、第１の実施形態とほぼ同様であるが、第１の実施形態と比較して第２の実施形態では接続部と狭幅部を設けない点で相違する、第２の実施形態は、上縁部２０１と、フロントピース２０２と、支持部２０５と、三角形状部２０６と、リアピース２０７と、下縁部２０８とを備える。上縁部２０１は、腰腹部支持部ベルト１００の頂部に、下縁部２０８は腰腹部支持ベルトの最下端にそれぞれ位置する。フロントピース２０２は腰腹部支持ベルトの前方に位置し、その上側が上縁部２０１に接合し、下側が支持部２０５に接合し、両側が三角形状部２０６に接合している。支持部２０５は、フロントピース２０２と三角形状部２０６の下側と下縁部２０８の上側との間に位置する。三角形状部２０６は人間工学に準拠した三角形の区域であり、最も広い底部が側腰部に位置し、その鋭角が後方の腰部中央に向かって先細になるように腰腹部支持ベルトの両側の腰部分に位置している。リアピース２０７は、腰腹部支持ベルトの後側に配置される。これらの部分の編み構造、特徴、機能は、第１の実施形態における対応部分と同様のため、詳細な説明は省略する。
【００４０】
また、図５ａ、図５ｂ及び図５ｃは、それぞれ、本発明の造形された継ぎ目がない円筒形状の編み腰腹部支持ベルトがボトムスに取り付けられた斜視図、正面図及び背面図である。第１及び第２の実施形態における造形された継ぎ目がない円筒形状の編み腰腹部支持ベルトは、両方とも確実にボトムスに取り付けることができる。通常、妊娠中の女性のボトムスは、妊娠中の大きなお腹に適応するために、低ウエストのデザインを採用している。更に、本発明の腰腹部支持ベルトの下部の編み構造は、腰腹部支持ベルトとボトムスとの間の滑らかな接続を提供し得る。腰腹部支持ベルト及びボトムスの接続方法には、縫製、紡績、熱融着、ボタン、スナップファスナー、ベルクロ（登録商標）またはスライドファスナーが含まれるが、これらに限定されない。ボトムスには、ズボン、ショーツ、スカートなどがあるが、これらに限定されない。ズボンはジーンズであってもよい。ボトムスは、織物または編み衣服であってもよい。
【００４１】
本発明による造形された継ぎ目がない円筒形状の編み腰腹部支持ベルトは、Ｓａｎｔｏｎｉ編み機（ｗｗｗ．ｓａｎｔｏｎｉ．ｃｏｍで更に詳細に入手可能）を使用して製造することができ、継ぎ目のない特徴を有するため、伝統的な腹帯による不快感を最小限に抑える。造形された継ぎ目がない円筒形状の編み腰腹部支持ベルトは、異なる部分において、異なる編みステッチが使用されることで、成長している腹部に対する快適性を維持し、且つ、腰部及び後部を支持し、骨盤痛を軽減する事が可能になる。
【００４２】
造形された継ぎ目がない円筒形状の編み腰腹部支持ベルトの頂部は、ナイロンで覆われた糸とスパンデックス糸を使用し、５×１ミスステッチ構造で弾性バンドに形成するため、回復弾性及び引き締め性に優れ、快適性を確保し、滑り落ちを防ぐことができる。腰腹部支持ベルトの中央前部は、腹部を覆い、メッシュデザインミスステッチ組合せで編まれる。この部分は、着用者を全面的に保護する。メッシュデザインは、通気性と腹部の柔軟な動きを提供する。中央前方の左右両側における腰部分に近い領域及び中央前方の下部は、張力が弛緩から緊張まで一連の複雑な編み構造が採用されている。上述のような複雑な構造は、４段階で緊密さを増すことで、織物にかかる圧力が背中に伝達される。腰部分に近い領域は、極めて緊張した張力を持って、腰部をしっかりと把持できる、人間工学に準拠した三角形のパターンが形成されている特別な編み構造で構成される。そのようにすることで、腹部の下部を更にサポートすることができる。腹部の下部の中央後部に向かう部分の編み目は、背中の支持及び保護のために重要であり、最も高密度で最も緊密なものである。
【００４３】
本発明で使用される繊維材料はナイロン及びスパンデックスを含み、妊婦に快適さ、耐久性、身体へのフィット性及び支持などの特性を与える。スパンデックスはライクラ（Ｌｙｃｒａ（登録商標））である。編み繊維材料は、ポリエステル繊維または軟質ナイロンのようなポリマー繊維を更に含んでもよい。他の糸は、暖かく乾燥した状態を保つ中空のポリエステル繊維、または冷たく乾燥した状態を保つ溝付きの表面ポリエステル繊維などの特殊な機能及び特徴を有するものを含んでもよい。様々な特性を有する材質が異なる繊維材料から形成された糸は、背部支持（圧縮）や、快適性（柔軟性及び伸張性、温かみまたは清涼感）の目的を果たすこともできる。そのような糸には、吸水速乾効果を提供するために使用することができるＣｏｏｌｍａｘ（登録商標）（Ｉｎｖｉｓｔａ（登録商標）から入手可能）のような特別な機能を有するポリマー繊維から形成された糸が含まれる。特別な機能を有するポリマー繊維には、例えば、Ｔｈｅｒｍｏｌｉｔｅ（登録商標）（Ｉｎｖｉｓｔａ（登録商標）から入手可能）のような保温性を持ちかつ軽量である糸も含まれる。綿または羊毛のような他の天然繊維、ビスコースレーヨンまたはリヨセルのような再生繊維は、支持及び快適さの要求される特性を維持しながら自然な感触の編み物を作製するために、上記ポリマー繊維と組み合わせて使用することができる。糸自体の弾性率は、異なる程度の弾性を製品に与えるので、妊娠の程度の異なる妊婦のお腹の大きさに適合することができる。
【００４４】
上述のように、本発明の具体的な実施形態について、詳細に説明した。しかしながら、当業者であれば、本発明が上記の特定の実施形態に限定されない事を理解されたい。そして、後述する特許請求の範囲に規定される範囲内において、本発明の主旨から逸脱することなく変更及び改良を行うことができる。
【符号の説明】
【００４５】
１００  腰腹部支持ベルト
１０１、２０１  上縁部
１０２、２０２  フロントピース
１０３  接続部
１０４  狭幅部
１０５、２０５  支持部
１０６、２０６  三角形状部
１０７、２０７  リアピース
１０８、２０８  下縁部
【図１】
2021513009.tif 000003
【図２】
2021513009.tif 000004
【図３】
2021513009.tif 000005
【図４】
2021513009.tif 000006
【図５ａ】
2021513009.tif 000007
【図５ｂ】
2021513009.tif 000008
【図５ｃ】
2021513009.tif 000009
【国際調査報告】
2021513009.tif 000010
2021513009.tif 000011
2021513009.tif 000012
2021513009.tif 000013